(57)【要約】【課題】フレーム部材やブラケットの種類を増やすことなく端子箱を任意の位置となるように設置することを可能とし、併せて、確実に液体が排出される電動機を提供することを目的とする。【解決手段】電動機は、回転子を収容する円筒形状のフレーム部材と、フレーム部材の軸方向の一方の端部に設けられたブラケットと、フレーム部材の外周面に固定された端子箱と、ブラケットの中心部から径方向外側へ液体を排出するためのドレイン部と、フレーム部材のブラケット側の端部に４か所設けられ、ブラケットとフレーム部材とを固定部材で固定するための取付部と、ブラケットの外周部に４か所設けられ、ブラケットとフレーム部材とを固定部材で固定するための取付穴と、を備え、取付部及び取付穴は、半径の長さが同一の円の円周上であって等しい角度間隔を備えて位置する。【選択図】図３
2018093689.tif 000002
【特許請求の範囲】
【請求項１】
回転子を収容する円筒形状のフレーム部材と、
前記フレーム部材の軸方向の一方の端部に設けられ、前記回転子を回転可能に支持するブラケットと、
前記フレーム部材の外周面に固定された端子箱と、
前記ブラケットの前記フレーム部材とは反対の面側に設けられ、前記ブラケットの中心部から径方向外側へ液体を排出するためのドレイン部と、
前記フレーム部材の前記ブラケット側の端部に４か所設けられ、前記ブラケットと前記フレーム部材とを固定部材で固定するための取付部と、
前記ブラケットの外周部に４か所設けられ、前記ブラケットと前記フレーム部材とを固定部材で固定するための取付穴と、を備え、
前記取付部及び前記取付穴は、半径の長さが同一の円の円周上であって等しい角度間隔を備えて位置する電動機。
【請求項２】
前記角度間隔は９０度である請求項１に記載の電動機。
【請求項３】
回転子を収容する円筒形状のフレーム部材と、
前記フレーム部材の軸方向の一方の端部に設けられ、前記回転子を回転可能に支持するブラケットと、
前記フレーム部材の外周面に固定された端子箱と、
前記ブラケットの前記フレーム部材とは反対の面側に設けられ、前記ブラケットの中心部から径方向外側へ液体を排出するためのドレイン部と、
前記フレーム部材の前記ブラケット側の端部に４か所設けられ、前記ブラケットと前記フレーム部材とを固定部材で固定するための取付部と、
前記ブラケットの外周部に４か所設けられ、前記ブラケットと前記フレーム部材とを固定部材で固定するための取付穴と、を備え、
前記取付部及び前記取付穴は、合同の正方形の頂点に位置する電動機。
【請求項４】
回転子を収容する円筒形状のフレーム部材と、
前記フレーム部材の軸方向の一方の端部に設けられ、前記回転子を回転可能に支持するブラケットと、
前記フレーム部材の外周面に固定された端子箱と、
前記ブラケットの前記フレーム部材とは反対の面側に設けられ、前記ブラケットの中心部から径方向外側へ液体を排出するためのドレイン部と、
前記フレーム部材の前記ブラケット側の端部に４か所設けられ、前記ブラケットと前記フレーム部材とを固定部材で固定するための取付部と、
前記ブラケットの外周部に４か所設けられ、前記ブラケットと前記フレーム部材とを固定部材で固定するための取付穴と、を備え、
前記取付部及び前記取付穴は、一辺の長さが等しい正方形の頂点に位置する電動機。
【請求項５】
前記端子箱は、前記フレーム部材１４を周方向に回転させて設置することにより、フレーム部材１４の上方、右側、又は左側に配置が可能な請求項１から４のいずれか一項に記載の電動機。
【発明の詳細な説明】
【技術分野】
【０００１】
本発明の実施形態は、電動機に関する。
【背景技術】
【０００２】
電動機は、回転子を収容するフレーム部材の外周面に端子箱を有している。この端子箱は、例えば左方、右方、又は上方など、電動機を適用する機器に応じて異なる位置に設けられる。しかし、端子箱の異なる位置に応じてフレーム部材を用意すると、同一の形式の電動機であっても複数のフレーム部材が必要となる。そこで、フレーム部材を周方向へ回転することにより、端子箱の位置を変更することが考えられる。
【０００３】
しかし、例えばポンプと直接結合される電動機の場合、電動機の端部において回転子を支持するブラケットは、外部に液体を排出するためのドレイン部を有している。このドレイン部は、液体を排出するという機能のために、中心部から径方向外側へかけて重力方向下方へ傾斜している必要がある。そのため、端子箱の位置を変更するためにフレーム部材を回転すると、このフレーム部材に取り付けられているブラケットも回転し、ドレイン部が液体を排出可能な姿勢を維持できなくなり、液体を排出できなくなるという問題がある。
【０００４】
そこで、フレーム部材とブラケット１６に、あらかじめフレーム部材を回転させても取り付け可能な取付部を設ける技術が考案されたが、この技術では取付部が多くなってしまい、フレーム部材１４及びブラケット１６の製造コストが上がってしまうという課題がある（例えば特許文献１）。
【先行技術文献】
【特許文献】
【０００５】
【特許文献１】特開２０１６−０４６９７６号公報
【発明の概要】
【発明が解決しようとする課題】
【０００６】
実施形態は、フレーム部材やブラケットの種類を増やすことなく端子箱を任意の位置となるように設置することを可能とし、併せて、確実に液体が排出される電動機を提供することを目的とする。
【課題を解決するための手段】
【０００７】
実施形態に係る電動機は、回転子を収容する円筒形状のフレーム部材と、フレーム部材の軸方向の一方の端部に設けられたブラケットと、フレーム部材の外周面に固定された端子箱と、ブラケットの中心部から径方向外側へ液体を排出するためのドレイン部と、フレーム部材のブラケット側の端部に４か所設けられ、ブラケットとフレーム部材とを固定部材で固定するための取付部と、ブラケットの外周部に４か所設けられ、ブラケットとフレーム部材とを固定部材で固定するための取付穴と、を備え、取付部及び取付穴は、半径の長さが同一の円の円周上であって等しい角度間隔を備えて位置する。
【図面の簡単な説明】
【０００８】
【図１】実施形態に係る電動機を用いた電動機一体型ポンプを示す概略図
【図２】実施形態に係る電動機を示す概略図
【図３】電動機を図２の矢印Ｉ方向から見た概略図
【図４】ブラケットを図２の矢印Ｉ方向から見た概略図
【図５】フレーム部材を図２の矢印Ｉ方向から見た概略図
【図６】端子箱を左側位置とした例を示す概略図
【図７】端子箱を右側位置とした例を示す概略図
【発明を実施するための形態】
【０００９】
以下、実施形態について図面に基づいて説明する。実施形態の説明において実質的に同一の構成部位には同一の符号を付し、説明を省略する。
図１に示すように電動機一体型ポンプ１０は、電動機この場合はポンプ用電動機１２とポンプ部３０とが一体に結合されて構成されており、一般的に油圧ポンプとして用いられる電動機一体型ポンプである。電動機一体型ポンプ１０は、ポンプ用電動機１２によってポンプ部３０が駆動され、ポンプ部３０において吸入した液体を加圧して吐出する。液体としては、例えば水や油が用いられる。この場合、電動機一体型ポンプ１０で吐出される液体は、作動油である。
【００１０】
図２及び図３に示すように、電動機一体型ポンプ１０に用いられるポンプ用電動機１２は、フレーム部材１４、ブラケット１６、カバー２８及び端子箱１８を備えている。フレーム部材１４は、例えば鋳物、又は、アルミダイキャストによって構成されている。フレーム部材１４は、円筒形状に形成されており、内側に図示しない固定子が固定される。また、フレーム部材１４は、内側に回転子２０を回転可能に収容する。フレーム部材１４は、軸方向において少なくとも一方の端部が開口している。
【００１１】
ブラケット１６は、鋳鉄などで板状に形成されており、図３及び図４に示すように中心部に窪み形成された凹部２２を有している。ブラケット１６は、フレーム部材１４の軸方向の一方の端部すなわち開口している側の端部に取り付けられる。凹部２２の中心部には回転子２０が設けられており、回転子２０の周囲を囲むようにベアリング２４が設けられている。これにより、ブラケット１６は、フレーム部材１４に収容される回転子２０の一方の端部を回転可能に支持している。ブラケット１６はフレーム部材１４の軸方向の一方の端部に設けられており、カバー２８はフレーム部材１４の軸方向の他方の端部に設けられている。
【００１２】
端子箱１８は、図示しない外部電源からの動力線をポンプ用電動機１２に電気接続する端子箱であり、図２及び図３に示すように、フレーム部材１４の外周面に固定して取り付けられている。図１から図３においては、端子箱１８はフレーム部材１４の外周面の上方に、図示しないボルトおよびナットによって着脱可能に取り付け固定されている。ポンプ用電動機１２の各部と電気的に接続されている配線の端部は、この端子箱１８に集約されている。フレーム部材１４は、図１から図３に示すように、一対の脚部２６によって支持されて設置場所に載置される。これら一対の脚部２６は、図示しないボルト及びナットによってフレーム部材１４に着脱可能に取り付けられている。
【００１３】
ブラケット１６は、図３及び図４に示すようにドレイン部３２を備えている。ドレイン部３２は、ブラケット１６のフレーム部材１４と反対の面側に設けられている。ブラケット１６は、中心部に回転子２０が貫く凹部２２を有しており、ドレイン部３２はこの凹部２２が設けられている中心部から径方向外側へかけて溝状に形成され、凹部２２と外部とを連通するように設けられている。ドレイン部３２は、径方向内側の中心部側の内側端３２ａに比較して径方向外側の外側端３２ｂが重力方向において下方に位置するように傾斜している。これにより、電動機一体型ポンプ１０の内部より凹部２２に漏出した油液などの液体を径方向外側の外部に排出することができる。
【００１４】
上述のように、ドレイン部３２は、液体を排出する必要があるため、フレーム部材１４の姿勢にかかわらず、外側端３２ｂが内側端３２ａよりも重力方向において下方にある姿勢を維持することが求められる。ドレイン部３２は、図３に示すように、外側端３２ｂが内側端３２ａよりも重力方向で下方にあれば、右方または左方のいずれに傾斜してもよい。
【００１５】
ブラケット１６はその外周部に、ブラケット１６とフレーム部材１４とを結合させるための取付座４０、及び、取付座４０の中央部に配置された取付穴４２を備えている。図４においては、４か所の取付座４０（４０ａ、４０ｂ、４０ｃ、４０ｄ）、及び４か所の取付穴４２（４２ａ、４２ｂ、４２ｃ、４２ｄ）が設けられており、それぞれの４か所の取付座４０および取付穴４２は正方形の４つの頂点位置に位置するように配置されている。言い換えれば、４つの取付座４０および取付穴４２は半径の長さが同一の円の円周上に９０度の等しい角度間隔となるように配置されている。この取付座４０ａ、４０ｂ、４０ｃ、４０ｄ及び取付穴４２ａ、４２ｂ、４２ｃ、４２ｄの位置は、後述するフレーム部材１４の取付座３４ａ、３４ｂ、３４ｃ、４ｄ及び取付部３６ａ、３６ｂ、３６ｃ、３６ｄの位置と、フレーム部材１４とブラケット１６を対面させた場合に対応する位置となり重なるように配置されている。取付穴４２には固定部材４４が貫通するための貫通穴が設けられている。固定部材４４は例えばボルトである。
【００１６】
フレーム部材１４は、図５に示すように一方に開口部を備える円筒形状を呈している。フレーム部材１４は開口部１４ａ側の端面には４つの取付座３４（３４ａ、３４ｂ、３４ｃ、４ｄ）及び４つの取付部３６（３６ａ、３６ｂ、３６ｃ、３６ｄ）が設けられている。それぞれ４つの取付座３４及び取付部３６は正方形の４つの頂点に位置するように配置されている。言い換えれば、４つの取付座３４及び取付部３６は半径の長さが同一の円の円周上に９０度の等しい角度間隔となるように配置されている。この４つの取付部３６ａ、３６ｂ、３６ｃ、３６ｄと、上述のブラケット１６の４つの取付穴４２ａ、４２ｂ、４２ｃ、４２ｄは、フレーム部材１４とブラケット１６を対面させた場合に対応する位置となって重なるように配置されている。
【００１７】
ここで、上述の正方形及び半径の長さが同一の円の円周上の円はフレーム部材１４とブラケット１６で合同である。また、上述の正方形の一辺の長さはフレーム部材１４とブラケット１６で同一である。上述の円の半径の長さは、フレーム部材１４とブラケット１６で同一である。
【００１８】
ブラケット１６は取付穴４２を貫通する固定部材４４によってフレーム部材１４に締付け固定される。固定部材４４の先端はフレーム部材１４の取付部３６に保持されている。フレーム部材１４の外周面には端子箱１８を固定するための端子箱台座１８ａが設けられている。
【００１９】
フレーム部材１４とブラケット１６は、図１及び図２に示すように、４つの取付座３４及び取付部３６と、４つの取付座４０及び取付穴４２とが対応する位置となるように対面され、固定部材４４によって螺設固定される。この時、取付座３４ａ及び取付部３６ａは取付座４０ａ及び取付穴４２ａに、取付座３４ｂ及び取付部３６ｂは取付座４０ｂ及び取付穴４２ｂに、取付座３４ｃ及び取付部３６ｃは取付座４０ｃ及び取付穴４２ｃに、取付座３４ｄ及び取付部３６ｄは取付座４０ｄ及び取付穴４２ｄに一致して対応する位置となるように配置されている。
【００２０】
さて、ユーザにおける電動機一体型ポンプ１０の設置場所の都合により、端子箱１８の位置を変更してポンプ用電動機１２を設置する必要が生じる場合がある。ここで、端子箱１８の位置を変更するために、ブラケット１６をフレーム部材１４と一体に例えば周方向左に９０度回転させると、ドレイン部３２の外側端３２ｂが内側端３２ａよりも上方に位置することになる。これではドレイン液を外部に排出することができない。そこでこの場合、ブラケット１６すなわちドレイン部３２の姿勢を維持したまま、端子箱１８の位置を変更するために、ブラケット１６をそのままにしてフレーム部材１４だけを回転させることが求められる。
【００２１】
ここで、図６に示すように、端子箱１８を左方に位置する状態にする場合、ブラケット１６をフレーム部材１４から取り外し、ブラケット１６の位置はそのままにして、フレーム部材１４だけを周方向左に９０度回転させる。すると、取付座３４ａ及び取付部３６ａは取付座４０ｄ及び取付穴４２ｄに、取付座３４ｂ及び取付部３６ｂは取付座４０ａ及び取付穴４２ａに、取付座３４ｃ及び取付部３６ｃは取付座４０ｂ及び取付穴４２ｂに、取付座３４ｄ及び取付部３６ｄは取付座４０ｃ及び取付穴４２ｃに一致して対応する位置となる。この状態で、取付部３６と取付穴４２を固定部材４４により螺設固定することにより、端子箱１８を左方に位置させた状態でポンプ用電動機１２を構成することができる。
【００２２】
また、この時、ブラケット１６の回転位置は変更されていないため、ドレイン部３２の位置も変更されることがなく、これによりドレイン部３２の外側端３２ｂが内側端３２ａよりも下方に位置した状態を維持できる。従って、電動機一体型ポンプ１０から漏出した液体を、ドレイン部３２を通じて外部に排出する状態を維持することができる。
【００２３】
一方、図７に示すように、端子箱１８を右方に位置する状態とする場合、ブラケット１６の位置はそのままにして、フレーム部材１４を周方向右に９０度回転させる。すると、取付座３４ａ及び取付部３６ａは取付座４０ｂ取付穴４２ｂに、取付座３４ｂ及び取付部３６ｂは取付座４０ｃ及び取付穴４２ｃに、取付座３４ｃ及び取付部３６ｃは取付座４０ｄ及び取付穴４２ｄに、取付座３４ｄ及び取付部３６ｄは取付座４０ａ及び取付穴４２ａに対応する位置となる。この状態で、取付部３６と取付穴４２を固定部材４４により螺設固定することにより、端子箱１８を右方に位置させた状態でポンプ用電動機１２を構成することができる。
【００２４】
またこの時、ブラケット１６の回転位置すなわち姿勢は変更されていないため、ドレイン部３２の位置すなわち姿勢も変更されることがなく、これによりドレイン部３２の外側端３２ｂが内側端３２ａよりも下方に位置した状態を維持できる。従って、電動機一体型ポンプ１０から漏出した液体を、ドレイン部３２を通じて外部に排出する状態を維持することができる。
【００２５】
以上説明したように、実施形態に係るポンプ用電動機１２では、フレーム部材１４には４つの取付部３６が設けられている。４つの取付部３６は、正方形の４つの頂点に位置するように設けられている。言い換えれば４つの取付部３６は、円周上に９０度の等しい角度間隔を備えて位置している。
【００２６】
また、ブラケット１６には４つの取付穴４２が設けられている。４つの取付穴４２は、正方形の４つの頂点に位置するように設けられている。言い換えれば４つの取付穴４２は、円周上に９０度の等しい角度間隔を備えて位置している。
【００２７】
４つの取付部３６と４つの取付穴４２とは、合同な正方形の４つの頂点に位置するように設けられている。言い換えれば、４つの取付部３６及び４つの取付穴４２は、半径の長さが同一の円の円周上に９０度の等しい角度間隔を備えて位置している。なお、上記取付部３６と取付穴４２の位置関係は、取付座３４と取付座４０の位置関係に置き換えても同じである。
【００２８】
上記構成によれば、端子箱１８の位置を左方または右方のいずれかに変更するためにフレーム部材１４を左又は右に９０度回転させても、フレーム部材１４の４つの取付部３６と、ブラケット１６の４つの取付穴４２の位置が一致して対応する位置となる。この時、フレーム部材１４の４つの取付座３４と、ブラケット１６の４つの取付座４０の位置も一致して対応する位置となる。この状態でフレーム部材１４とブラケット１６を螺設固定することができる。
【００２９】
これにより、端子箱１８の位置を左側又は右側に変更したい場合に、ブラケット１６の姿勢を変更することなく、すなわち、ドレイン部３２の姿勢を変更することなく、フレーム部材１４とブラケット１６と螺設固定することで、フレーム部材１４の外周面の任意の位置に端子箱１８を設置したポンプ用電動機１２を構成することが可能となる。実施形態の場合は９０度刻みの角度で端子箱１８の位置を任意に設定できる。
【００３０】
そのため、端子箱１８を左側又は右側に設置可能なフレーム部材１４又はブラケット１６を個別に準備する必要がない。端子箱１８の位置の変更を行う場合には、固定部材４４の脱着、及びフレーム部材１４の回転を行えばよく、フレーム部材１４及びブラケット１６を別部品に変更する必要がない。
【００３１】
また、このような状況でポンプ部３０から浸入する液体を、ドレイン部３２を経由して外部に確実に排出することができる。さらに、上記効果を備えながら、フレーム部材１４に設けられる取付座３４及び取付部３６の数、ブラケット１６に設けられる取付座４０及び取付穴４２の数を少なくすることができ、無駄な取付座３４、取付部３６、取付座４０及び取付穴４２を設ける必要がない。
【００３２】
なお、実施形態では、４つの取付座３４及び取付部３６、４つの取付座４０及び取付穴４２を正方形の頂点部に位置させ、その頂点が左右方向に配置するようにしたがこの配置に限る必要はなく、任意の配置としてもよい。例えば、取付座３４、取付部３６、取付座４０及び取付穴４２のいずれかが脚部２６間の位置に配置されるようにして、正方形の対角線が接地面に対して平行及び垂直となるように配置してもよい。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１０…電動機一体型ポンプ、１２…ポンプ用電動機、１４…フレーム部材、１６…ブラケット、１８…端子箱、２０…回転子、３０…ポンプ部、３２…ドレイン部、３４、４０…取付座、３６…取付部、４２…取付穴、４４…固定部材
【図１】
2018093689.tif 000003
【図２】
2018093689.tif 000004
【図３】
2018093689.tif 000005
【図４】
2018093689.tif 000006
【図５】
2018093689.tif 000007
【図６】
2018093689.tif 000008
【図７】
2018093689.tif 000009